(57)【要約】【課題】釣銭として払い出すべき紙幣が不足した際にはその代わりに硬貨で払い出すことができるようにする。【解決手段】紙幣釣銭機は、釣銭データを受信するとその釣銭データに基づいて紙幣の払出処理を実行するとともに、払い出される紙幣が必要数に対して不足しているか否かを判断し、紙幣が不足していると判断されるとその不足分の金額に相当する不足データを出力する。硬貨払出装置は、上記不足データまたは該不足データに基づくデータを受信すると、そのデータに相当する金額の硬貨の払出処理を実行する。【選択図】      図９
2005301597.tif 000002
【特許請求の範囲】
【請求項１】
紙幣を収納しこの収納している紙幣を釣銭として払い出す紙幣払出装置において、
外部からのデータを受信するデータ受信手段と、このデータ受信手段により受信したデータが釣銭に相当する釣銭データであるとその釣銭データに基づいて紙幣の払出処理を実行する釣銭紙幣払出手段と、この釣銭紙幣払出手段により払い出される紙幣が必要数に対して不足しているか否かを判断する不足紙幣判断手段と、この不足紙幣判断手段により紙幣が不足していると判断されるとその不足分の金額に相当する不足データを出力する不足データ出力手段とを具備したことを特徴とする紙幣払出装置。
【請求項２】
収納している紙幣の枚数を金種毎に記憶する金種別枚数記憶手段をさらに具備し、
前記不足紙幣判断手段は、この金種別枚数記憶手段に記憶されている紙幣の金種別枚数に基づいて紙幣が不足しているか否かを判断することを特徴とする請求項１記載の紙幣払出装置。
【請求項３】
前記不足紙幣判断手段により紙幣が不足していると判断されるとその紙幣の不足枚数と予め設定された代替許可枚数とを比較する枚数比較手段をさらに具備し、
前記不足データ出力手段は、この比較手段による比較の結果紙幣の不足枚数が前記代替許可枚数以下であることを条件に不足分の金額に相当する不足データを出力することを特徴とする請求項１または２記載の紙幣払出装置。
【請求項４】
前記不足データは、紙幣不足分の金額データであることを特徴とする請求項１乃至３のいずれかに記載の紙幣払出装置。
【請求項５】
前記不足データは、不足している紙幣の金種と枚数であることを特徴とする請求項１乃至３のいずれかに記載の紙幣払出装置。
【請求項６】
硬貨を収納しこの収納している硬貨を釣銭として払い出す硬貨払出装置において、
外部からのデータを受信するデータ受信手段と、このデータ受信手段により受信したデータが釣銭に相当する釣銭データであるとその釣銭データに基づいて硬貨の払出処理を実行する釣銭硬貨払出手段と、前記データ受信手段により受信したデータが請求項１乃至３のいずれかに記載の紙幣払出装置が出力する不足データまたは該不足データに基づくデータであるとそのデータに相当する金額の硬貨の払出処理を実行する代替硬貨払出手段とを具備したことを特徴とする硬貨払出装置。
【請求項７】
請求項１乃至５のいずれかに記載の紙幣払出装置と、請求項６記載の硬貨払出装置とからなることを特徴とする貨幣払出装置。
【請求項８】
前記紙幣払出装置は、商品データを処理する商品販売データ処理装置からの釣銭データに基づいて紙幣の払出処理を実行し、
前記硬貨払出装置は、前記商品販売データ処理装置からの釣銭データに基づいて硬貨の払出処理を実行することを特徴とする請求項７記載の貨幣払出装置。
【請求項９】
前記紙幣払出装置と前記硬貨払出装置とはデータ伝送可能に接続されており、前記不足データは前記紙幣払出装置から前記硬貨払出装置に直接伝送されることを特徴とする請求項７または８記載の貨幣払出装置。
【請求項１０】
前記紙幣払出装置は、前記不足データを前記商品販売データ処理装置に出力し、この不足データに基づく更なる釣銭データが前記商品販売データ処理装置から前記硬貨払出装置に出力されることを特徴とする請求項８記載の貨幣払出装置。
【請求項１１】
硬貨を収納しこの収納している硬貨を釣銭として払い出す硬貨払出装置と、紙幣を収納しこの収納している紙幣を釣銭として払い出す紙幣払出装置とからなる貨幣払出装置において、
前記紙幣払出装置は、商品データを処理する商品販売データ処理装置から釣銭に相当する釣銭データを受信するデータ受信手段と、このデータ受信手段により前記釣銭データを受信するとその釣銭データに基づいて紙幣の払出処理を実行する釣銭紙幣払出手段と、この釣銭紙幣払出手段により払い出される紙幣が必要数に対して不足しているか否かを判断する不足紙幣判断手段と、この不足紙幣判断手段により紙幣が不足していると判断されるとその不足分の金額に相当する不足データを前記商品販売データ処理装置に出力する不足データ出力手段とを具備し、
前記硬貨払出装置は、前記商品販売データ処理装置から前記釣銭データを受信するデータ受信手段と、このデータ受信手段により前記釣銭データを受信するとその釣銭データに基づいて硬貨の払出処理を実行する釣銭硬貨払出手段と具備し、
前記硬貨払出装置のデータ受信手段は、前記紙幣払出装置からの不足データを受信した商品販売データ処理装置からその不足データに基づく更なる釣銭データを受信することを特徴とする貨幣払出装置。
【請求項１２】
前記不足データは、紙幣不足分の金額データであることを特徴とする請求項７乃至１１のいずれかに記載の貨幣払出装置。
【請求項１３】
前記不足データは、不足している紙幣の金種と枚数であることを特徴とする請求項７，８，１０，１１のいずれかに記載の貨幣払出装置。
【請求項１４】
紙幣を収納しこの収納している紙幣を釣銭として払い出す紙幣払出装置において、
外部からのデータを受信するデータ受信手段と、このデータ受信手段により受信したデータが釣銭に相当する釣銭データであるとその釣銭データに基づいて紙幣の払出処理を実行する釣銭紙幣払出手段と、前記釣銭データの金額から前記釣銭紙幣払出手段により払い出される紙幣の金額を減算して釣銭残額を取得する釣銭残額演算手段と、この釣銭残額演算手段により算出された釣銭残額に相当する残額データを出力する残額データ出力手段とを具備したことを特徴とする紙幣払出装置。
【請求項１５】
前記釣銭紙幣払出手段により払い出される紙幣が必要数に対して不足しているか否かを判断する不足紙幣判断手段をさらに具備し、
前記残額データ送信手段は、この不足紙幣判断手段により紙幣が不足していると判断された際にはその不足分の金額に前記釣銭残額算出手段により算出された釣銭残額を加えた金額に相当する残額データを出力することを特徴とする請求項１４記載の紙幣払出装置。
【請求項１６】
収納している紙幣の枚数を金種毎に記憶する金種別枚数記憶手段をさらに具備し、
前記不足紙幣判断手段は、この金種別枚数記憶手段に記憶されている紙幣の金種別枚数に基づいて紙幣が不足しているか否かを判断することを特徴とする請求項１５記載の紙幣払出装置。
【請求項１７】
商品データを処理する商品販売データ処理装置からの釣銭データに基づいて紙幣の払出処理を実行することを特徴とする請求項１４乃至１６のいずれかに記載の紙幣払出装置。
【請求項１８】
硬貨を収納しこの収納している硬貨を釣銭として払い出す硬貨払出装置において、
請求項１４乃至１７のいずれかに記載の紙幣払出装置からの残額データを受信するデータ受信手段と、このデータ受信手段により前記残額データを受信するとその残額データに基づいて硬貨の払出処理を実行する釣銭硬貨払出手段とを具備したことを特徴とする硬貨払出装置。
【請求項１９】
請求項１４乃至１７のいずれかに記載の紙幣払出装置と、請求項１８記載の硬貨払出装置とからなり、前記紙幣払出装置と前記硬貨払出装置とはデータ伝送可能に接続されており、前記残額データは前記紙幣払出装置から前記硬貨払出装置に直接伝送されることを特徴とする貨幣払出装置。
【発明の詳細な説明】
【技術分野】
【０００１】
本発明は、紙幣を釣銭として払い出す紙幣払出装置及び硬貨を釣銭として払い出す硬貨払出装置並びに前記紙幣払出装置と前記硬貨払出装置とからなる貨幣払出装置に関する。
【背景技術】
【０００２】
ＰＯＳ（Point Of Sales）端末により管理され、貨幣を釣銭として払い出す貨幣払出装置として、紙幣を払い出す紙幣払出装置（紙幣釣銭機）と硬貨を払い出す硬貨払出装置（硬貨釣銭機）とからなるものは、従来から知られている。この種の貨幣払出装置は、紙幣払出装置がＰＯＳ端末に接続されており、硬貨払出装置が紙幣払出装置に接続されている。そして、ＰＯＳ端末において客の支払金額と購入商品の合計金額とから釣銭額が算出されると、この釣銭額に対応する釣銭データがＰＯＳ端末から紙幣払出装置と硬貨払出装置にそれぞれ送られる。これにより、紙幣払出装置はその釣銭データから紙幣の金種毎に払出枚数を確定して釣銭として払出し、硬貨払出装置も同様にその釣銭データから硬貨の金種毎に払出枚数を確定して釣銭として払出すものとなっていた（例えば、特許文献１参照）。
【０００３】
また、硬貨払出装置においては、ある特定の金種が不足した場合にはそれよりも金額の低い金種の硬貨で代替して釣銭を払い出すようにしていた（例えば、特許文献２参照）。
【特許文献１】特開２００３−２６３６７９公報
【特許文献２】特開平１０−１９８８３５号公報
【発明の開示】
【発明が解決しようとする課題】
【０００４】
しかしながら従来のこの種の貨幣払出装置においては、ある特定の金種の紙幣が不足した場合に硬貨で代替して釣銭を払い出すことはできなかった。このため、我が国において紙幣の最低金種である千円札がなくなった場合、あるいは不足した場合（例えば釣銭が２，０００円以上で千円札が１枚しかなかった場合）場合には、釣銭を払い出すことができず、エラーが出力されていた。
【０００５】
このときキャッシャは、釣銭に必要な紙幣を別の場所、例えば引出しの中から取出して客に渡していた。このためキャッシャは、エラーが出力された場合には、釣銭がいくら不足しているのか確認し、必要な額の紙幣を引出し等から揃えなければならず、大変な手間を要していた。
【０００６】
本発明はこのような事情に基づいてなされたもので、その目的とするところは、釣銭として払い出すべき紙幣が不足した際にはその代わりに硬貨で払い出すことができ、キャッシャの負担を軽減できる貨幣払出装置、及びこの貨幣払出装置として用いられる紙幣払出装置並びに硬貨払出装置を提供しようとすものである。
【課題を解決するための手段】
【０００７】
本発明は、外部からのデータを受信するデータ受信手段と、このデータ受信手段により受信したデータが釣銭に相当する釣銭データであるとその釣銭データに基づいて紙幣の払出処理を実行する釣銭紙幣払出手段と、この釣銭紙幣払出手段により払い出される紙幣が必要数に対して不足しているか否かを判断する不足紙幣判断手段と、この不足紙幣判断手段により紙幣が不足していると判断されるとその不足分の金額に相当する不足データを出力する不足データ出力手段とを備えた紙幣払出装置と、外部からのデータを受信するデータ受信手段と、このデータ受信手段により受信したデータが釣銭に相当する釣銭データであるとその釣銭データに基づいて硬貨の払出処理を実行する釣銭硬貨払出手段と、データ受信手段により受信したデータが紙幣払出装置からの不足データまたは該不足データに基づくデータであるとそのデータに相当する金額の硬貨の払出処理を実行する代替硬貨払出手段とを備えた硬貨払出装置とからなるものである。
【発明の効果】
【０００８】
かかる手段を講じた本発明によれば、釣銭として払い出すべき紙幣が不足した際にはその代わりに硬貨で払い出すことができ、手間の軽減と安全性の向上とを図り得る貨幣払出装置、及びこの貨幣払出装置として用いられる紙幣払出装置並びに硬貨払出装置を提供できる。
【発明を実施するための最良の形態】
【０００９】
以下、本発明を実施するための最良の形態について、図面を用いて説明する。  
なお、この実施の形態は、釣銭用の紙幣として五千円札，二千円札及び千円札の３種類があり、硬貨として五百円硬貨，百円硬貨，五十円硬貨，十円硬貨，五円硬貨，一円硬貨の６種類がある場合である。
【００１０】
はじめに、第１の実施の形態について、図１〜図１０を用いて説明する。  
この第１の実施の形態においては、図１の模式図に示すように、商品販売データ処理装置であるＰＯＳ端末１に、紙幣払出装置である紙幣釣銭機２と、硬貨払出装置である硬貨釣銭機３とが並列に接続されている。また、紙幣釣銭機２と硬貨釣銭機３とが連結されていて、貨幣払出装置が構成されている。
【００１１】
ＰＯＳ端末１と紙幣釣銭機２及び硬貨釣銭機３とは、それぞれ店舗の会計（レジ）に設置されている。紙幣釣銭機２と硬貨釣銭機３は、それぞれ独立して設置されていてもよいし、ハウジングに一体に組み込まれて設置されていてもよい。
【００１２】
ＰＯＳ端末１は、図２の機能ブロック図に示すように、客が購入する商品の識別コード，点数，金額等の商品販売データを入力する商品販売データ入力部１１、商品販売データを例えばメモリに登録する等のデータ処理を行う商品販売データ処理部１２、データ処理された商品販売データから当該客との商品売買取引の合計金額を算出する取引合計演算部１３、当該客が支払う金額データを入力する支払金額データ入力部１４、支払金額から取引合計金額を減算して釣銭金額を算出する釣銭演算部１５、客が購入する商品の明細データや取引合計金額，釣銭金額等を表示する表示部１６、商品売買取引のレシートを印字する印字部１７、釣銭金額に相当する釣銭データを前記紙幣釣銭機２及び硬貨釣銭機３に送信する釣銭データ送信部１８等で構成されている。
【００１３】
紙幣釣銭機２には、図３の要部ブロック図に示すように、３種類の紙幣をそれぞれ分別して収納する紙幣収納部２１と、売上金や釣銭補充用の紙幣が投入される紙幣投入口２２と、釣銭としての紙幣が払い出される紙幣払出口２３とが形成されている。また、紙幣投入口２２に投入された紙幣を搬入し、金種別に選別した後、紙幣収納部２１に収納する紙幣搬入・選別部２４、紙幣収納部２１から釣銭として必要な金種の紙幣を必要枚数取出して紙幣払出口２３から払出させる払出処理部２５、紙幣投入口２２に紙幣が投入されたことを検知する紙幣投入センサ２６、紙幣払出口２３に払い出される紙幣を検知する紙幣払出センサ２７、ＰＯＳ端末１とのデータ通信を司るＰＯＳ端末インターフェイス２８、硬貨釣銭機３とのデータ通信を司る硬貨釣銭機インターフェイス２９、各種のデータを書換可能に記憶するＲＡＭ（Random Access Memory）等の記憶部２１０及びＣＰＵ（Central Processing Unit）を主体に構成され、各部を制御する制御部２１１等が設けられている。
【００１４】
記憶部２１０には、特に図４の模式図に示すように、紙幣の金種（千円，二千円，五千円）別に、紙幣収納部２１における収納枚数Ａ１，Ａ２，Ａ５を計数する金種別枚数記憶手段としての収納枚数カウンタと、釣銭として払い出す必要枚数Ｂ１，Ｂ２，Ｂ３を計数する釣銭枚数カウンタと、紙幣払出口２３への払出枚数Ｃ１，Ｃ２，Ｃ５を計数する払出枚数カウンタのカウンタテーブル４１と、予め設定された代替許可枚数を記憶する代替許可枚数メモリ４２が形成されている。代替許可枚数は、硬貨で代替可能な紙幣枚数の上限値であり、本実施の形態では「２」とする。そして、この代替許可枚数「２」を超える枚数の紙幣が釣銭として不足している場合には硬貨で代替しないように制御する。なお、代替許可枚数は「２」に限定されるものではなく、ユーザが必要に応じて適宜設定できるものである。
【００１５】
硬貨釣銭機３には、図５の要部ブロック図に示すように、６種類の硬貨をそれぞれ分別して収納する硬貨収納部３１と、売上金や釣銭補充用の硬貨が投入される硬貨投入口３２と、釣銭としての硬貨が払い出される硬貨払出口３３とが形成されている。また、硬貨投入口３２に投入された硬貨を搬入し、金種別に選別した後、硬貨収納部３１に収納する硬貨搬入・選別部３４、硬貨収納部３１から釣銭として必要な金種の硬貨を必要枚数取出して硬貨払出口３３から払出させる払出処理部３５、硬貨投入口３２に硬貨が投入されたことを検知する硬貨投入センサ３６、硬貨払出口３３に払い出される硬貨を検知する硬貨払出センサ３７、ＰＯＳ端末１とのデータ通信を司るＰＯＳ端末インターフェイス３８、紙幣釣銭機２とのデータ通信を司る紙幣釣銭機インターフェイス３９、各種データを書換可能に記憶するＲＡＭ等の記憶部３１０及びＣＰＵを主体に構成され、各部を制御する制御部３１１等が設けられている。
【００１６】
記憶部３１０には、特に図６の模式図に示すように、硬貨の金種（一円，五円，十円，五十円，百円，五百円）別に、硬貨収納部３１における収納枚数Ｄ１，Ｄ５，Ｄ１０，Ｄ５０，Ｄ１００，Ｄ５００を計数する収納枚数カウンタと、釣銭として払い出す必要枚数Ｅ１，Ｅ５，Ｅ１０，Ｅ５０，Ｅ１００，Ｅ５００を計数する釣銭枚数カウンタと、硬貨払出口３３への払出枚数Ｆ１，Ｆ５，Ｆ１０，Ｆ５０，Ｆ１００，Ｆ５００を計数する第１の払出枚数カウンタと、不足している紙幣の代わりに釣銭として払い出す必要枚数Ｇ１，Ｇ５，Ｇ１０，Ｇ５０，Ｇ１００，Ｇ５００を計数する代替枚数カウンタと、紙幣の代わりに払い出された枚数Ｈ１，Ｈ５，Ｈ１０，Ｈ５０，Ｈ１００，Ｈ５００を計数する第２の払出枚数カウンタのカウンタテーブル５１が形成されている。
【００１７】
しかして、紙幣釣銭機２の制御部２１１は、紙幣投入口２２に紙幣が投入されたことを紙幣投入センサ２６からの信号により検知すると、図７の流れ図に示すように、紙幣搬入・選別部２４を制御して、紙幣の搬入を開始する。搬入された紙幣は、紙幣搬入・選別部２４により金種が選別された後、該当する金種の紙幣収納部２１に収納される。このとき制御部２１１は、投入された紙幣の金種が選別される毎に、収納枚数カウンタの該当金種のカウント値Ａ１，Ａ２，Ａ５を“１”ずつカウントアップする。かくして、投入された紙幣が全て紙幣収納部２１に収納されたならば、紙幣の搬入を停止するようにプログラムされている。
【００１８】
また、硬貨釣銭機３の制御部３１１は、硬貨投入口３２に硬貨が投入されたことを硬貨投入センサ３６からの信号により検知すると、図８の流れ図に示すように、硬貨搬入・選別部３４を制御して、硬貨の搬入を開始する。搬入された硬貨は、硬貨搬入・選別部３４により金種が選別された後、該当する金種の硬貨収納部３１に収納される。このとき制御部３１１は、投入された硬貨の金種が選別される毎に、該当する収納枚数カウンタの該当金種のカウント値Ｄ１，Ｄ５，Ｄ１０，Ｄ５０，Ｄ１００，Ｄ５００を“１”ずつカウントアップする。かくして、投入された硬貨が全て硬貨収納部３１に収納されたならば、硬貨の搬入を停止するようにプログラムされている。
【００１９】
なお、本実施の形態では、選別不能な紙幣や硬貨を収納部に収納しないで排除するリジェクト機能について説明を省略しているが、紙幣釣銭機２及び硬貨釣銭機３がこのリジェクト機能を有しているのは言うまでもないことである。
【００２０】
紙幣釣銭機２は、外部からのデータを受信するデータ受信手段として前記ＰＯＳ端末インターフェイス２８を有している。そしてデータを受信すると、制御部２１１が図９の流れ図に示すデータ受信処理を実行するようにプログラムされている。
【００２１】
すなわち制御部２１１は、このデータ受信処理を開始すると、先ず、ＳＴ（ステップ）１として受信データがＰＯＳ端末１から送信される釣銭データか否かを判断する。そして、釣銭データであった場合には、ＳＴ２としてその釣銭データに対応する釣銭金額が紙幣を必要とする１，０００円以上か否かを判断する。釣銭金額が１，０００円未満の場合には、紙幣の払い出しを行わないので、このデータ受信処理を終了する。
【００２２】
釣銭金額が１，０００円以上の場合には、制御部２１１は、ＳＴ３として紙幣の金種毎に釣銭枚数Ｂ１，Ｂ２，Ｂ５を確定し、釣銭枚数カウンタにセットする。例えば、各釣銭枚数Ｂ１，Ｂ２，Ｂ５をそれぞれ“０”にリセットした後、釣銭金額が５，０００円以上か否かを判断し、５，０００円以上の場合には五千円札の釣銭枚数Ｂ５を“１”とする。そして、釣銭金額から５，０００円を減額する。次に、残りの釣銭金額が４，０００円以上か否かを判断し、４，０００円以上の場合には二千円札の釣銭枚数Ｂ２を“２”とする。そして、釣銭金額から４，０００円を減額する。次に、残りの釣銭金額が２，０００円以上か否かを判断し、２，０００円以上の場合には二千円札の釣銭枚数Ｂ２を“１”と確定する。そして、釣銭金額から２，０００円を減額する。次に、残りの釣銭金額が１，０００円以上か否かを判断し、１，０００円以上の場合には千円札の釣銭枚数Ｂ１を“１”とする。
【００２３】
次に、制御部２１１は、ＳＴ４として五千円札の収納枚数Ａ５が同札の釣銭枚数Ｂ５より少ないか否かを判断する。そして、少ない場合には、ＳＴ５として五千円札の釣銭枚数Ｂ５を“０”に変更する。また、ＳＴ６として二千円札の釣銭枚数Ｂ２に“２”を加算するとともに、ＳＴ７として千円札の釣銭枚数Ｂ１に“１”を加算して、釣銭金額５，０００円を二千円札２枚と千円札１枚で代替する。収納枚数Ａ５が釣銭枚数Ｂ５以上ある場合には、ＳＴ５〜ＳＴ７の各処理を実行しない。
【００２４】
次に、制御部２１１は、ＳＴ８として二千円札の収納枚数Ａ２が同札の釣銭枚数Ｂ２より少ないか否かを判断する。そして、少ない場合には、ＳＴ９として釣銭枚数Ｂ２を収納枚数Ａ２に変更する。また、ＳＴ１０して二千円札の釣銭枚数Ｂ２から同札の収納枚数Ａ２を減算して二千円札の不足枚数ｋを算出し、ＳＴ１１として千円札の釣銭枚数Ｂ１にこの不足枚数ｋの２倍の値を加算して、不足する二千円札分を千円札で代替する。収納枚数Ａ２が釣銭枚数Ｂ２以上ある場合には、ＳＴ９〜ＳＴ１１の各処理を実行しない。
【００２５】
次に、制御部２１１は、ＳＴ１２として千円札の収納枚数Ａ１が同札の釣銭枚数Ｂ１より少ないか否かを判断する（不足紙幣判断手段）。そして、少ない場合には、ＳＴ１３として釣銭枚数Ｂ１を収納枚数Ａ１に変更する。また、ＳＴ１４して千円札の釣銭枚数Ｂ１から同札の収納枚数Ａ１を減算して千円札の不足枚数ｋを算出する。そして、ＳＴ１５としてこの不足枚数ｋと代替許可枚数メモリ４２に設定されている代替許可枚数とを比較して、不足枚数ｋが代替許可枚数以下であるか否かを判断する（枚数比較手段）。その結果、不足枚数ｋが代替許可枚数以下である場合には、ＳＴ１６として千円札の不足枚数ｋに１，０００円を乗算して不足枚数ｋ分の不足金額を算出し、この不足金額のデータを不足データとして硬貨釣銭機インターフェイス２９から硬貨釣銭機３に出力する（不足データ出力手段）。
【００２６】
しかる後、制御部２１１は、釣銭紙幣払出処理を実行する。すなわち、払出処理部２５を動作させて紙幣収納部２１に収納されている各金種の紙幣をそれぞれ釣銭枚数Ｂ１，Ｂ２，Ｂ５だけ紙幣払出口２３から払い出しさせる（釣銭紙幣払出手段）。
【００２７】
ＳＴ１５にて不足枚数ｋが代替許可枚数を超える場合には、制御部２１１は、ＳＴ１７として紙幣払出不可エラーの応答データをＰＯＳ端末インターフェイス２８からＰＯＳ端末１に出力して、このデータ受信処理を終了する。
【００２８】
硬貨釣銭機３は、外部からのデータを受信するデータ受信手段として前記ＰＯＳ端末インターフェイス３８及び紙幣釣銭機インターフェイス３９を有している。そしてデータを受信すると、制御部３１１が図１０の流れ図に示すデータ受信処理を実行するようにプログラムされている。
【００２９】
すなわち制御部３１１は、このデータ受信処理を開始すると、先ず、ＳＴ２１として受信データがＰＯＳ端末１から送信される釣銭データか否かを判断する。そして、釣銭データであった場合には、ＳＴ２２としてその釣銭データに対応する釣銭金額から硬貨の金種毎に釣銭枚数Ｅ１，Ｅ５，Ｅ１０，Ｅ５０，Ｅ１００，Ｅ５００を確定し、釣銭枚数カウンタにセットする。
【００３０】
例えば、各釣銭枚数Ｅ１，Ｅ５，Ｅ１０，Ｅ５０，Ｅ１００，Ｅ５００をそれぞれ“０”にリセットした後、釣銭金額が５００円以上か否かを判断し、５００円以上の場合には五百円硬貨の釣銭枚数Ｅ５００を“１”とする。そして、釣銭金額から５００円を減額する。次に、残りの釣銭金額が１００円以上か否かを判断し、１００円以上の場合には百円硬貨の釣銭枚数Ｅ１００を“１”とする。そして、釣銭金額から１００円を減額する。次に、再度残りの釣銭金額が１００円以上か否かを判断し、１００円以上の場合には釣銭枚数Ｅ１００をさらに“１”加算する。そして、釣銭金額からさらに１００円を減額する。残りの釣銭金額が１００円未満になるまで、上記処理を繰返す。残りの釣銭金額が１００円未満の場合には５０円以上か否かを判断し、５０円以上の場合には五十円硬貨の釣銭枚数Ｅ５０を“１”とする。そして、釣銭金額から５０円を減額する。次に、残りの釣銭金額が１０円以上か否かを判断し、１０円以上の場合には十円硬貨の釣銭枚数Ｅ１０を“１”とする。そして、釣銭金額から１０円を減額する。次に、再度残りの釣銭金額が１０円以上か否かを判断し、１０円以上の場合には釣銭枚数Ｅ１０をさらに“１”加算する。そして、釣銭金額からさらに１０円を減額する。残りの釣銭金額が１０円未満になるまで、上記処理を繰返す。残りの釣銭金額が１０円未満の場合には５円以上か否かを判断し、５円以上の場合には五円硬貨の釣銭枚数Ｅ５を“１”とする。そして、釣銭金額から５円を減額する。残りの釣銭金額が５円未満の場合には、その額を一円硬貨の釣銭枚数Ｅ１とする。
【００３１】
次に、制御部３１１は、ＳＴ２３として収納枚数カウンタの各カウント値Ｄ１，Ｄ５，Ｄ１０，Ｄ５０，Ｄ１００，Ｄ５００と、同一金種の釣銭枚数Ｅ１，Ｅ５，Ｅ１０，Ｅ５０．Ｅ１００，Ｅ５００とをそれぞれ比較し、不足硬貨があるか否か、つまり収納枚数Ｄよりも釣銭枚数Ｅの方が多い硬貨があるか否かを判断する。そして、不足硬貨がある場合には、ＳＴ２４として不足硬貨よりも金額の低い硬貨で代替可能か否かを判断し、代替可能であれば、ＳＴ２５として不足硬貨の釣銭枚数Ｂを収納枚数とし、それより金額の低い代替硬貨の釣銭枚数を不足硬貨の不足金額分増加する。
【００３２】
次に、制御部３１１は、ＳＴ２６として釣銭硬貨払出処理を実行する。すなわち、払出処理部３５を動作させて硬貨収納部３１に収納されている各金種の硬貨をそれぞれ釣銭枚数Ｅ１，Ｅ５，Ｅ１０，Ｅ５０，Ｅ１００，Ｅ５００だけ硬貨払出口３３から払出させる（釣銭硬貨払出手段）。そして、ＳＴ２７として第１の払出枚数Ｆ１，Ｆ５，Ｆ１０，Ｆ５０，Ｆ１００，Ｆ５００がそれぞれ同一金種の釣銭枚数Ｅ１，Ｅ５，Ｅ１０，Ｅ５０，Ｅ１００，Ｅ５００に一致し、釣銭硬貨の払出完了を検知したならば、制御部２１１は、ＳＴ２８として紙幣釣銭機２から直接伝送される不足データを受信しているか否かを判断する。そして、不足データを受信していない場合には、このデータ受信処理を終了する。
【００３３】
これに対し、紙幣釣銭機インターフェイス３９を介して不足データを受信していた場合には、制御部３１１は、ＳＴ２９としてその不足データに対応する不足金額を硬貨の最大金種である５００で除算し、その商ｍを求める。そして、ＳＴ３０としてこの商ｍを五百円硬貨の代替枚数Ｇ５００としてセットする。
【００３４】
次に、制御部３１１は、ＳＴ３１として代替枚数Ｇ５００が五百円硬貨の収納枚数Ｄ５００より大きいか否かを判断する。そして、代替枚数Ｇ５００が収納枚数Ｄ５００以下の場合には、紙幣不足分を五百円硬貨で代替可能なので、ＳＴ３６の代替硬貨払出処理に移行する。
【００３５】
代替枚数Ｇ５００が収納枚数Ｄ５００より小さい場合には、制御部３１１は、ＳＴ３２として代替枚数Ｇ５００を収納枚数Ｄ５００に変更する。次に、ＳＴ３３として代替枚数Ｇ５００から収納枚数Ｄ５００を減算して、代替すべき五百円硬貨の不足枚数ｎを求める。そして、ＳＴ３４としてこの不足枚数ｎを５倍した値を百円硬貨の代替枚数Ｇ１００としてセットする。
【００３６】
次に、制御部３１１は、ＳＴ３５として代替枚数Ｇ１００が百円硬貨の収納枚数Ｄ１００より大きいか否かを判断する。そして、代替枚数Ｇ１００が収納枚数Ｄ１００以下の場合には、五百円硬貨不足分を百円硬貨で代替可能なので、ＳＴ３６の代替硬貨払出処理に移行する。
【００３７】
代替枚数Ｇ１００が収納枚数Ｄ１００より小さい場合には、制御部３１１は、ＳＴ３７として硬貨払出不可エラーの応答データをＰＯＳ端末インターフェイス２８からＰＯＳ端末１に出力して、このデータ受信処理を終了する。なお、ＳＴ２４にて代替不可能と判断された場合もＳＴ３７に進み硬貨払出不可エラーの応答データをＰＯＳ端末インターフェイス２８からＰＯＳ端末１に出力するようになっている。
【００３８】
ＳＴ３６の代替払出処理に入ると、制御部３１１は、払出処理部３５を動作させて硬貨収納部３１に収納されている各金種の硬貨をそれぞれ代替枚数Ｇ１，Ｇ５，Ｇ１０，Ｇ５０，Ｇ１００，Ｇ５００だけ硬貨払出口３３から払出させる（代替硬貨払出手段）。
【００３９】
なお、本実施の形態では、紙幣不足分を硬貨で代替する際に、基本的には五百円硬貨で代替し、五百円硬貨が不足する場合には百円硬貨で代替して、百円硬貨より金額の小さい硬貨での代替は行わないようにしている。このため、代替枚数Ｇ１，Ｇ５，Ｇ１０，Ｇ５０は常に“０”であり、省略してもよい。
【００４０】
このように構成された第１の実施の形態においては、ＰＯＳ端末１の釣銭演算部１５で算出された１，０００円以上の釣銭金額に相当する釣銭データが紙幣釣銭機２と硬貨釣銭機３に送信されると、通常は、紙幣釣銭機２からは１，０００円単位の釣銭が紙幣で払い出され、硬貨釣銭機３からは１００円単位以下の釣銭が硬貨で払い出される。ところが、紙幣収納部２１に収納されている紙幣が不足し、１，０００円単位の釣銭を紙幣で払い出すことができない場合には、紙幣釣銭機２から硬貨釣銭機３に対して紙幣不足分の金額に相当する不足データが出力され、この不足データに基づいて硬貨釣銭機３から紙幣不足分の金額が五百円硬貨または百円硬貨で払い出される。
【００４１】
例えば今、釣銭金額が４，８００円に対して、紙幣釣銭機２に二千円札と千円札が各１枚ずつしか収納されていなかった場合、紙幣釣銭機２からは、その二千円札と千円札各１枚が釣銭として払い出され、硬貨釣銭機３からは８００円分の硬貨、例えば五百円硬貨１枚と百円硬貨３枚が払い出される。また、残りの金額１，０００円に相当する不足データが紙幣釣銭機２から硬貨釣銭機３に出力される。これにより、硬貨収納部３１に五百円硬貨が２枚以上収納されていた場合には、通過釣銭機３から五百円硬貨２枚が払出される。そこでキャッシャは、釣銭４，８００円として二千円札及び千円札各１枚と、五百円硬貨３枚と、百円硬貨３枚を客に手渡せばよい。
【００４２】
このように本実施の形態によれば、釣銭として払い出すべき紙幣が不足した際にはその代りに硬貨で紙幣不足分を払い出すことができるので、キャッシャの負担を軽減することができる。
【００４３】
ところで、上記例において、二千円札が１枚も収納されていなかったとすると、千円札の不足枚数が３枚となる。そうすると、代替許可枚数が「２」に設定されていた場合には、不足枚数が代替許可枚数を超えるので、紙幣払出不可のエラーとなる。この場合には、キャッシャは、従来の通り、釣銭に必要な紙幣を別の場所から取出して客に渡すことで対処することとなる。しかし、仮に代替許可枚数が設定されていなかったとすると、千円札不足枚数３枚分の釣銭が６枚もの五百円硬貨で代替されることとなり、客への印象が悪くなる。そこで、代替許可枚数を設定することによって、このような不都合を回避することができる。
【００４４】
なお、この第１の実施の形態では、釣銭データがＰＯＳ端末１から紙幣釣銭機２と硬貨釣銭機３にそれぞれ並列的に送信されるものとしたが、硬貨釣銭機３への釣銭データは紙幣釣銭機２をスルーして送られてくるようにしてもよい。こうすることにより、ＰＯＳ端末１と硬貨釣銭機３とを直接接続する必要がなくなり、配線が簡易化される。
【００４５】
次に、本発明の第２の実施の形態について、図１１〜図１４を用いて説明する。  
この第２の実施の形態においては、図１１の模式図に示すように、ＰＯＳ端末１に紙幣釣銭機２と硬貨釣銭機３とが並列に接続されているものの、紙幣釣銭機２と硬貨釣銭機３とは連結されていない。したがって、図示しないが、紙幣釣銭機２は硬貨釣銭機インターフェイス２９を具備しておらず、硬貨釣銭機３は紙幣釣銭機インターフェイス３９を具備していない。
【００４６】
ＰＯＳ端末１は、図１２の機能ブロック図に示すように、商品販売データ入力部１１、商品販売データ処理部１２、取引合計演算部１３、支払金額データ入力部１４、釣銭演算部１５、表示部１６、印字部１７及び釣銭データ送信部１８の他、不足データ受信部１９と釣銭データ変換部１１０とを備えている。不足データ受信部１９は、紙幣釣銭機２から出力される不足データを受信して、釣銭データ変換部１１０に与える。釣銭データ変換部１１０は、不足データ受信部１９から受取った不足データを、その不足データに対応する不足金額を釣銭金額とする釣銭データに変換して、釣銭データ送信部１８に与える。釣銭データ送信部１８は、釣銭データ変換部１１０から受取った釣銭データを硬貨釣銭機３に送信するものとなっている。
【００４７】
図１３は第２の実施の形態における紙幣釣銭機２の制御部２１１が実行するデータ受信処理の要部を示す流れ図であり、図９の処理ステップと同一部分には同一符号を付している。すなわち、第２の実施の形態では、制御部２１１は、ＳＴ１５にて不足枚数ｋが代替許可枚数以下であった場合、ＳＴ４１として不足紙幣の金種「千円札」とで不足枚数ｋ枚のデータを不足データとしてＰＯＳ端末インターフェイス２８からＰＯＳ端末１に送信する（不足データ出力手段）。
【００４８】
図１４は第２の実施の形態における硬貨釣銭機３の制御部３１１が実行するデータ受信処理の要部を示す流れ図であり、図１０の処理ステップと同一部分には同一符号を付している。すなわち、第２の実施の形態では、硬貨釣銭機３はＰＯＳ端末１からの釣銭データに基づいて硬貨の払出処理を行い、不足データに基づく硬貨の払出処理は行われないので、ＳＴ２７〜ＳＴ３６の処理が省略されている。
【００４９】
このように構成された第２の実施の形態においては、紙幣収納部２１に収納されている紙幣が不足し、１，０００円単位の釣銭を紙幣で払い出すことができない場合には、紙幣釣銭機２からＰＯＳ端末１に対して不足している紙幣の金種と枚数からなる不足データが出力される。これにより、ＰＯＳ端末１では、不足データがその不足金額に相当する釣銭データに変換され、硬貨釣銭機３に送信される。硬貨釣銭機３では、更なる釣銭データにしたがって硬貨が払い出される。したがって、第１の実施の形態と同様な効果を奏することができる。しかも、硬貨釣銭機３は、ＰＯＳ端末１からの釣銭データに基づいて硬貨の払出処理を実行する既存のものを利用できる利点がある。
【００５０】
次に、本発明の第３の実施の形態について、図１５〜図１７を用いて説明する。  
この第３の実施の形態においては、図１５の模式図に示すように、ＰＯＳ端末１に紙幣釣銭機２が接続され、紙幣釣銭機２に硬貨釣銭機３が接続されている。したがって、図示しないが、硬貨釣銭機３は紙幣釣銭機インターフェイス３９を具備していない。ＰＯＳ端末１及び紙幣釣銭機２のハードウェア構成は、第１の実施の形態と同一である。
【００５１】
図１６は第３の実施の形態における紙幣釣銭機２の制御部２１１が実行するデータ受信処理の要部を示す流れ図であり、図９の処理ステップと同一部分には同一符号を付している。すなわち、第３の実施の形態では、制御部２１１は、ＳＴ２にて釣銭データの釣銭金額が１，０００円未満の場合には、ＳＴ５１としてその釣銭金額を記憶部２１０のワークメモリＱに記憶する。これに対し、釣銭金額が１，０００円以上の場合には、ＳＴ５２として千の位の値を記憶部２１０のワークメモリＰに記憶する（釣銭残額演算手段）。また、ＳＴ５３として釣銭金額からワークメモリＰの値に１０００を乗算した金額を減算してその差額をワークメモリＱに記憶する。
【００５２】
しかる後、制御部２１１は、ＳＴ３〜ＳＴ１２の各処理を実行する。そして、ＳＴ１２にて千円札の収納枚数Ａ１が同札の釣銭枚数Ｂ１以上ある場合には、ＳＴ５５の処理に進む。すなわち、ワークメモリＱの値を残額とする残額データを硬貨釣銭機インターフェイス２９を介して硬貨釣銭機３に出力して（残額データ出力手段）、釣銭紙幣払出処理に移行する（釣銭紙幣払出手段）。
【００５３】
ＳＴ１２にて千円札の収納枚数Ａ１が釣銭枚数Ｂ１より少ない場合には、制御部２１１は、ＳＴ１３，１４，１５の各処理を実行する。そして、ＳＴ１５にて千円札の不足枚数ｋが代替許可枚数以下であった場合には（不足紙幣判断手段）、ＳＴ５４として不足枚数ｋに１０００を乗算した値をワークメモリＱの値に加算する。そして、ＳＴ５５の処理に進み、ワークメモリＱの値を残額とする残額データを硬貨釣銭機インターフェイス２９を介して硬貨釣銭機３に出力して（残額データ出力手段）、釣銭紙幣払出処理に移行する（釣銭紙幣払出手段）。
【００５４】
図１７は第３の実施の形態における硬貨釣銭機３の制御部３１１が実行するデータ受信処理の要部を示す流れ図であり、図１４の処理ステップと同一部分には同一符号を付している。すなわち、第３の実施の形態では、硬貨釣銭機３は紙幣釣銭機２からの残額データに基づいて硬貨の払出処理を行うので、制御部３１１は、ＳＴ６１として残額データを待機している。そして、紙幣釣銭機インターフェイス３９を介して残額データを受信すると、その残額データの金額に基づいてＳＴ２２〜ＳＴ２６の各処理を実行する。
【００５５】
このように構成された第３の実施の形態においても、第１及び第２の実施の形態と同様に、通常は、紙幣釣銭機２からは１，０００円単位の釣銭が紙幣で払い出され、硬貨釣銭機３からは１００円単位以下の釣銭が硬貨で払い出される。また、紙幣収納部２１に収納されている紙幣が不足し、１，０００円単位の釣銭を紙幣で払い出すことができない場合には、その不足分の金額も含めて硬貨釣銭機３から釣銭が硬貨で払い出される。したがって、第１の実施の形態と同様の効果を奏することができる。しかも、紙幣が不足している場合にはその不足分の金額に釣銭残額を加えた金額に相当する残額データが紙幣釣銭機２から硬貨釣銭機３に送られ、残額データに相当する金額が硬貨で払出されるので、硬貨の払い出しが１回で済み、効率的である。
【００５６】
なお、前記各実施の形態では、釣銭データを釣銭金額そのもののデータとして説明したが、釣銭金額に相当する貨幣の金種と枚数からなるデータであってもよい。ただし、第３の実施の形態では、紙幣釣銭機２の制御部２１１が、データ受信処理のＳＴ２の処理ステップの前で、釣銭データから釣銭金額を算出する演算処理ステップが必要となる。
【００５７】
また、前記各実施の形態では、紙幣釣銭機２の記憶部２１０に代替許可枚数メモリ４２を形成し、不足紙幣の枚数がこの代替許可枚数を超える場合には硬貨による釣銭の代替払払い出しを行わない場合を示したが、代替許可枚数メモリ４２を省略して、不足紙幣の枚数に拘らず硬貨による釣銭の代替払払い出しを行うようにしてもよい。
【００５８】
この他、本発明を円以外の通貨単位の紙幣払出装置及び硬貨払出装置に適用する等、本発明の要旨を逸脱しない範囲で種々変形実施可能であるのは勿論である。
【図面の簡単な説明】
【００５９】
【図１】本発明の第１の実施の形態における概略構成を示す模式図。
【図２】同第１の実施の形態におけるＰＯＳ端末の機能構成を示すブロック図。
【図３】同第１の実施の形態における紙幣釣銭機の要部構成を示すブロック図。
【図４】同紙幣釣銭機の記憶部に形成されるカウンタテーブル及び代替許可枚数メモリを示す模式図。
【図５】同第１の実施の形態における硬貨釣銭機の要部構成を示すブロック図。
【図６】同硬貨釣銭機の記憶部に形成されるカウンタテーブルを示す模式図。
【図７】同第１の実施の形態における紙幣釣銭機の制御部が実行する紙幣検出処理の要部を示す流れ図。
【図８】同第１の実施の形態における硬貨釣銭機の制御部が実行する紙幣検出処理の要部を示す流れ図。
【図９】同第１の実施の形態における紙幣釣銭機の制御部が実行するデータ受信処理の要部を示す流れ図。
【図１０】同第１の実施の形態における硬貨釣銭機の制御部が実行するデータ受信処理の要部を示す流れ図。
【図１１】本発明の第２の実施の形態における概略構成を示す模式図。
【図１２】同第２の実施の形態におけるＰＯＳ端末の機能構成を示すブロック図。
【図１３】同第２の実施の形態における紙幣釣銭機の制御部が実行するデータ受信処理の要部を示す流れ図。
【図１４】同第２の実施の形態における硬貨釣銭機の制御部が実行するデータ受信処理の要部を示す流れ図。
【図１５】本発明の第３の実施の形態における概略構成を示す模式図。
【図１６】同第３の実施の形態における紙幣釣銭機の制御部が実行するデータ受信処理の要部を示す流れ図。
【図１７】同第３の実施の形態における硬貨釣銭機の制御部が実行するデータ受信処理の要部を示す流れ図。
【符号の説明】
【００６０】
１…ＰＯＳ端末、２…紙幣釣銭機、３…硬貨釣銭機、２１…紙幣収納部、２４…紙幣搬入・選別部、２５…紙幣払出部、２８…ＰＯＳ端末インターフェイス、２９…硬貨釣銭機インターフェイス、２１０…記憶部、２１１…制御部、３１…硬貨収納部、３４…硬貨搬入・選別部、３５…硬貨払出部、３８…ＰＯＳ端末インターフェイス、３９…紙幣釣銭機インターフェイス、３１０…記憶部、３１１…制御部、４１，５１…カウンタテーブル、４２…代替許可枚数メモリ。
【図１】
2005301597.tif 000003
【図２】
2005301597.tif 000004
【図３】
2005301597.tif 000005
【図４】
2005301597.tif 000006
【図５】
2005301597.tif 000007
【図６】
2005301597.tif 000008
【図７】
2005301597.tif 000009
【図８】
2005301597.tif 000010
【図９】
2005301597.tif 000011
【図１０】
2005301597.tif 000012
【図１１】
2005301597.tif 000013
【図１２】
2005301597.tif 000014
【図１３】
2005301597.tif 000015
【図１４】
2005301597.tif 000016
【図１５】
2005301597.tif 000017
【図１６】
2005301597.tif 000018
【図１７】
2005301597.tif 000019